(57)【要約】【課題】仕切り同士の間隔を容易に変更可能で、メンテナンスも柔軟に対応可能な段ボール構造収納ケースを提供する。【解決手段】  段ボール構造収納ケース１は、矩形の底面部１０と、底面部１０の一方の対辺から上方に延びる第一側壁対２０Ａ，２０Ｂと、他方の対辺から上方に延びる第二側壁対３０Ａ，３０Ｂと、内部空間において第二側壁幅方向Ｗ２に延在し、自身の両端が第一側壁対２０Ａ，２０Ｂに保持される第一仕切り装置４０と、内部空間において第一側壁幅方向Ｗ１に延在し、自身の両端が第二側壁対３０Ａ，３０Ｂに保持される第二仕切り装置６０と、第一仕切り装置４０と第一側壁対２０Ａ，２０Ｂの間に設けられ、第一仕切り装置４０を第一側壁幅方向Ｗ１に移動自在に案内する第一スライド機構８０と、を備えるようにした。【選択図】図１
2022001499.tif 000002
【特許請求の範囲】
【請求項１】
紙又はプラスチックの段ボールで構成される収納ケースであって、
矩形の底面部と、
前記底面部の一方の対辺から上方に延びる第一側壁対と、
前記底面部の他方の対辺から上方に延びる第二側壁対と、
内部空間において前記第二側壁対の幅方向となる第二側壁幅方向に延在し、自身の両端が前記第一側壁対に保持される第一仕切り装置と、
内部空間において前記第一側壁対の幅方向となる第一側壁幅方向に延在し、自身の両端が前記第二側壁対に保持される第二仕切り装置と、
前記第一仕切り装置と前記第一側壁対の間に設けられ、前記第一仕切り装置を前記第一側壁幅方向に移動自在に案内する第一スライド機構と、
を備えることを特徴とする段ボール構造収納ケース。
【請求項２】
前記第一仕切り装置は、前記第二側壁幅方向に延在して前記内部空間を仕切る第一仕切り部を有し、
前記第二仕切り装置は、前記第一側壁幅方向に延在して前記内部空間を仕切る第二仕切り部を有し、
前記第一仕切り部は、ケース高さ方向の上側に位置する第一上側仕切り片、及び、該第一上側仕切り片よりも下側に位置する第一下側仕切り片を有し、
前記第二仕切り部の少なくとも一部は、前記第一上側仕切り片と前記第一下側仕切り片の間に延在することを特徴とする、
請求項１に記載の段ボール構造収納ケース。
【請求項３】
前記第二仕切り部は、ケース高さ方向の上側に位置する第二上側仕切り片、及び、該第二上側仕切り片よりも下側に位置する第二下側仕切り片を有し、
前記第二上側仕切り片は、前記第一上側仕切り片よりも上側に位置し、
前記第二下側仕切り片は、前記第一上側仕切り片と前記第一下側仕切り片の間に延在することを特徴とする、
請求項２に記載の段ボール構造収納ケース。
【請求項４】
前記第一スライド機構として、
ケース高さ方向の上側に設けられて前記第一仕切り装置を前記第一側壁幅方向に移動自在に案内する第一上側スライド機構、及び、前記第一上側スライド機構の下側に設けられて、前記第一仕切り装置を前記第一側壁幅方向に移動自在に案内する第一下側スライド機構を有することを特徴とする、
請求項１〜３のいずれか一項に記載の段ボール構造収納ケース。
【請求項５】
前記第一仕切り装置と前記第一側壁対の間、及び／又は、前記第一仕切り装置と前記第二仕切り装置の間に設けられ、前記第一スライド機構による前記第一仕切り装置の移動を複数個所で規制する第一スライド係合機構を備えることを特徴とする、
請求項１〜４のいずれか一項に記載の段ボール構造収納ケース。
【請求項６】
前記第一スライド係合機構として、
ケース高さ方向の上側に設けられて前記第一仕切り装置の移動を複数個所で規制する第一上側スライド係合機構、及び、前記第一上側スライド係合機構の下側に設けられて、前記第一仕切り装置の移動を複数個所で規制する第一下側スライド係合機構を有することを特徴とする、
請求項５に記載の段ボール構造収納ケース。
【請求項７】
前記第一側壁対の各側壁は、前記第一側壁幅方向に延びて前記第一仕切り装置を該第一側壁幅方向に案内する第一貫通孔を有しており、
前記第一仕切り装置は、
前記第二側壁幅方向に延在して前記内部空間を仕切ると共に、両端が前記第一貫通孔を通過して前記第一側壁対の両外側に突出する第一仕切り板と、
前記第一側壁対の両外側にそれぞれ配置され、前記第一仕切り板の両端近傍に連結されて前記第一貫通孔の周縁と係合可能な第一ストッパ部と、
を備えることを特徴とする、
請求項１〜６のいずれか一項に記載の段ボール構造収納ケース。
【請求項８】
前記第一側壁対は、前記第一貫通孔として、ケース高さ方向の上側に位置する第一上側貫通孔、及び、該第一上側貫通孔よりも下側に位置する第一下側貫通孔を有し、
前記第一仕切り板は、前記第一上側貫通孔を通過する第一上側通過部、及び、前記第一下側貫通孔を通過する第一下側通過部を有することを特徴とする、
請求項７に記載の段ボール構造収納ケース。
【請求項９】
前記第一貫通孔には、前記第一側壁幅方向に並んで形成される複数の凹凸となる第一孔用段群が形成されており、
前記第一仕切り装置が、前記第一孔用段部と係合することを特徴とする、
請求項７又は８に記載の段ボール構造収納ケース。
【請求項１０】
前記第二仕切り装置は、前記第一側壁幅方向に延在して前記内部空間を仕切る第二仕切り板を有し、
前記第二仕切り板の上縁又は下縁には、前記第一側壁幅方向に並んで形成される複数の凹凸となる第二仕切り用段群が形成されており、
前記第一仕切り装置の前記第一仕切り板が、前記第二仕切り用段群と係合することを特徴とする、
請求項７〜９のいずれか一項に記載の段ボール構造収納ケース。
【発明の詳細な説明】
【技術分野】
【０００１】
本発明は、紙製又はプラスチック製の段ボールによって構成される収納ケースに関する。
【背景技術】
【０００２】
従来、例えば、工場、倉庫等において物品を保管したり、トラック等の輸送手段で物品を搬送したりする際に、段ボール製の収納ケースが用いられる。素材となる段ボールには、紙製段ボールとプラスチック製段ボール（いわゆるプラスチックダンボール）が存在する。紙製段ボールは、一般的に、平らな紙（ライナー）と波状の紙（メディアム）が接着剤で貼合されて１つの構造体となっている。プラスチックダンボールは、一般的に、一対の平らなシート（ライナー）と、それらの間に配置されて互いに平行に伸びる複数のリブを有する。このプラスチックダンボールを製造する場合、シートを段ロールによって波状に成型してリブとし、これを２枚のライナーシートで挟み込んで製造する方式（コルゲート方式）や、溶融したプラスチックを段ボール断面形状（はしご形状）のダイスを通して押し出して直接成型する方式（押出し成型方式）等が存在する。段ボール製の収納ケースは、安価に量産できる同時に、未使用時は折り畳んでコンパクトにできる。特にプラスチック製段ボールを用いた収納ケースは、紙製段ボールよりも強度が高く、湿気にも強いので、工場を行き来きして循環させる「通い箱」としても用いられる。
【０００３】
物品の収納効率を高めたり、物品の破損を抑制したりするために、収納ケースの内部空間には、仕切り装置が配置される。この仕切り装置は、複数枚の縦方向仕切りと、複数枚の横方向仕切りを、お互いのスリット同士を係合させることで格子状に組み立てられる（例えば、特許文献１参照）。
【先行技術文献】
【特許文献】
【０００４】
【特許文献１】特開平７−３２９９６１号
【発明の概要】
【発明が解決しようとする課題】
【０００５】
収納ケース内にセットされる仕切り装置は、縦方向仕切りと横方向仕切りを、スリットを介して嵌め合わせる構造となる。結果、仕切り同士の間隔を調整することができない。
【０００６】
また、仕切り間隔を調整可能にするためには、各仕切りに多数のスリットを形成し、組み立てる際に、最適なスリットを選択しながら組み立てる構造となる。しかし、多数のスリットの存在によって仕切りの強度が低下する。更に、頻繁に仕切り間隔を変更すると、仕切りの分解・組み立てによって、仕切りが傷みやすい。
【０００７】
本発明は、斯かる実情に鑑み、仕切り同士の間隔を容易に変更可能で、メンテナンスも柔軟に対応可能な段ボール製の収納ケースを提供しようとするものである。
【課題を解決するための手段】
【０００８】
上記課題を解決する本発明は、紙又はプラスチックの段ボールで構成される収納ケースであって、矩形の底面部と、前記底面部の一方の対辺から上方に延びる第一側壁対と、前記底面部の他方の対辺から上方に延びる第二側壁対と、内部空間において前記第二側壁対の幅方向となる第二側壁幅方向に延在し、自身の両端が前記第一側壁対に保持される第一仕切り装置と、内部空間において前記第一側壁対の幅方向となる第一側壁幅方向に延在し、自身の両端が前記第二側壁対に保持される第二仕切り装置と、前記第一仕切り装置と前記第一側壁対の間に設けられ、前記第一仕切り装置を前記第一側壁幅方向に移動自在に案内する第一スライド機構と、を備えることを特徴とする段ボール構造収納ケースである。
【０００９】
上記段ボール構造収納ケースに関連して、前記第一仕切り装置は、前記第二側壁幅方向に延在して前記内部空間を仕切る第一仕切り部を有し、前記第二仕切り装置は、前記第一側壁幅方向に延在して前記内部空間を仕切る第二仕切り部を有し、前記第一仕切り部は、ケース高さ方向の上側に位置する第一上側仕切り片、及び、該第一上側仕切り片よりも下側に位置する第一下側仕切り片を有し、前記第二仕切り部の少なくとも一部は、前記第一上側仕切り片と前記第一下側仕切り片の間に延在することができる。
【００１０】
上記段ボール構造収納ケースに関連して、前記第二仕切り部は、ケース高さ方向の上側に位置する第二上側仕切り片、及び、該第二上側仕切り片よりも下側に位置する第二下側仕切り片を有し、前記第二上側仕切り片は、前記第一上側仕切り片よりも上側に位置し、前記第二下側仕切り片は、前記第一上側仕切り片と前記第一下側仕切り片の間に延在することができる。
【００１１】
上記段ボール構造収納ケースに関連して、前記第一スライド機構として、ケース高さ方向の上側に設けられて前記第一仕切り装置を前記第一側壁幅方向に移動自在に案内する第一上側スライド機構、及び、前記第一上側スライド機構の下側に設けられて、前記第一仕切り装置を前記第一側壁幅方向に移動自在に案内する第一下側スライド機構を有することができる。
【００１２】
上記段ボール構造収納ケースに関連して、前記第一仕切り装置と前記第一側壁対の間、及び／又は、前記第一仕切り装置と前記第二仕切り装置の間に設けられ、前記第一スライド機構による前記第一仕切り装置の移動を複数個所で規制する第一スライド係合機構を備えることができる。
【００１３】
上記段ボール構造収納ケースに関連して、前記第一スライド係合機構として、ケース高さ方向の上側に設けられて前記第一仕切り装置の移動を複数個所で規制する第一上側スライド係合機構、及び、前記第一上側スライド係合機構の下側に設けられて、前記第一仕切り装置の移動を複数個所で規制する第一下側スライド係合機構を有することができる。
【００１４】
上記段ボール構造収納ケースに関連して、前記第一側壁対の各側壁は、前記第一側壁幅方向に延びて前記第一仕切り装置を該第一側壁幅方向に案内する第一貫通孔を有しており、前記第一仕切り装置は、前記第二側壁幅方向に延在して前記内部空間を仕切ると共に、両端が前記第一貫通孔を通過して前記第一側壁対の両外側に突出する第一仕切り板と、前記第一側壁対の両外側にそれぞれ配置され、前記第一仕切り板の両端近傍に連結されて前記第一貫通孔の周縁と係合可能な第一ストッパ部と、を備えることができる。
【００１５】
上記段ボール構造収納ケースに関連して、前記第一側壁対は、前記第一貫通孔として、ケース高さ方向の上側に位置する第一上側貫通孔、及び、該第一上側貫通孔よりも下側に位置する第一下側貫通孔を有し、前記第一仕切り板は、前記第一上側貫通孔を通過する第一上側通過部、及び、前記第一下側貫通孔を通過する第一下側通過部を有することができる。
【００１６】
上記段ボール構造収納ケースに関連して、前記第一貫通孔には、前記第一側壁幅方向に並んで形成される複数の凹凸となる第一孔用段群が形成されており、前記第一仕切り装置が、前記第一孔用段部と係合することができる。
【００１７】
上記段ボール構造収納ケースに関連して、前記第二仕切り装置は、前記第一側壁幅方向に延在して前記内部空間を仕切る第二仕切り板を有し、前記第二仕切り板の上縁又は下縁には、前記第一側壁幅方向に並んで形成される複数の凹凸となる第二仕切り用段群が形成されており、
【００１８】
前記第一仕切り装置の前記第一仕切り板が、前記第二仕切り用段群と係合することができる。
【発明の効果】
【００１９】
本発明によれば、仕切り同士の間隔を容易に変更可能で、メンテナンスも柔軟に対応可能となるという優れた効果を奏し得る。
【図面の簡単な説明】
【００２０】
【図１】本発明の実施形態に係る段ボール構造収納ケースの（Ａ）正面図及び（Ｂ）正面断面図である。
【図２】同段ボール構造収納ケースの（Ａ）側面図及び（Ｂ）側面断面図である。
【図３】（Ａ）（Ｂ）は同段ボール構造収納ケースの平面図である。
【図４】同段ボール構造収納ケースの（Ａ）第一仕切り装置の分解図及び（Ｂ）第二仕切り装置の分解図である。
【図５】（Ａ）〜（Ｃ）は同第二仕切り装置の組み立て手順を示す正面図であり、（Ｄ）は第二仕切り装置の平面図である。
【図６】（Ａ）〜（Ｃ）は同第二仕切り装置の組み立て手順を示す斜視図である。
【図７】同段ボール構造収納ケースの箱体の展開状態を示す展開図である。
【図８】同第二仕切り装置の変形例を示す正面図である。
【図９】同段ボール構造収納ケースの第一変形例を示す（Ａ）正面断面図及び（Ｂ）側面断面図である。
【図１０】同段ボール構造収納ケースの第二変形例を示す（Ａ）正面断面図及び（Ｂ）側面断面図である。
【図１１】同段ボール構造収納ケースの第三変形例を示す（Ａ）正面断面図及び（Ｂ）側面断面図である。
【図１２】（Ａ）〜（Ｃ）は、同段ボール構造収納ケースに形成される凹凸形状の変形例を示す図である。
【発明を実施するための形態】
【００２１】
以下、本発明の実施の形態について添付図面を参照して説明する。
【００２２】
図１〜図３に、本実施形態の段ボール構造収納ケース（以下、収納ケース）１の全体構成を示す。なお、この収納ケース１は、全てがプラスチック製段ボールで構成される場合を例示するが、主要部材を除いた一部の部品については、段ボール以外の他の材料を組み合わせることも可能である。また、主要部材に紙製段ボールを採用することもできる。
【００２３】
＜箱体＞
【００２４】
収納ケース１は、箱体５を有する。箱体５は、矩形（ここでは長方形）の底面部１０と、底面部１０の一方の対辺（ここでは長辺）に連続して上方向（高さ方向Ｈ）に延びる第一側壁対２０Ａ，２０Ｂと、底面部１０の他方の対辺（ここでは短辺）に連続して上方向に延びる第二側壁対３０Ａ，３０Ｂを備える。結果、底面部１０、第一側壁対２０Ａ，２０Ｂ及び第二側壁対３０Ａ，３０Ｂによって囲われた内部空間が、物品を収容する収容空間となる。
【００２５】
なお、図７に示すように、底面部１０、第一側壁対２０Ａ，２０Ｂ及び第二側壁対３０Ａ，３０Ｂは、一枚の段ボール材からカットされて互いに連なる態様で製作される。第一側壁対２０Ａ，２０Ｂの側縁には凹部２２が形成され、第二側壁対３０Ａ，３０Ｂの側縁には凸部３２が形成される。凹部２２と凸部３２を嵌合させることで、第一側壁対２０Ａ，２０Ｂと第二側壁対３０Ａ，３０Ｂが連結され、箱形状の箱体５となる（図２（Ａ）参照）。
【００２６】
第一側壁対２０Ａ，２０Ｂの各々には第一貫通孔２４が形成される。第一貫通孔２４は、詳細に、ケース高さ方向Ｈの上側に位置する第一上側貫通孔２４Ｈと、この第一上側貫通孔２４Ｈよりも下側に位置する第一下側貫通孔２４Ｌを有する。第一上側貫通孔２４Ｈ及び第一下側貫通孔２４Ｌは、第一側壁幅方向Ｗ１が長手方向となる帯状（スリット状）に広がる。第一貫通孔２４の帯長さは、第一側壁対２０Ａ，２０Ｂの全幅に対して６０％以上となることが好ましい。
【００２７】
第二側壁対３０Ａ，３０Ｂの各々には第二貫通孔３４が形成される。第二貫通孔３４は、詳細に、ケース高さ方向Ｈの上側に位置する第二上側貫通孔３４Ｈと、この第二上側貫通孔３４Ｈよりも下側に位置する第二下側貫通孔３４Ｌを有する。第二上側貫通孔３４Ｈ及び第二下側貫通孔３４Ｌは、第二側壁幅方向Ｗ２が長手方向となる帯状（スリット状）に広がる。第二貫通孔３４の帯長さは、第二側壁対３０Ａ，３０Ｂの全幅に対して６０％以上となることが好ましい。なお、この箱体５に対して、蓋を設けるようにすることもできる。
【００２８】
＜仕切り装置＞
【００２９】
図１及び図２に示すように、収納ケース１は、箱体５に設置される第一仕切り装置４０と第二仕切り装置６０を備える。図２（Ｂ）に示すように、第一仕切り装置４０は、自身の両端が第一側壁対２０Ａ，２０Ｂに保持されることで、内部空間において、第二側壁対３０Ａ，３０Ｂの各側壁の幅方向（第二側壁幅方向Ｗ２）に延在する。図１（Ｂ）に示すように、第二仕切り装置６０は、自身の両端が第二側壁対３０Ａ，３０Ｂに保持されることで、内部空間において、第一側壁対２０Ａ，２０Ｂの各側壁の幅方向（第一側壁幅方向Ｗ１）に延在する。
【００３０】
（第一仕切り装置）
【００３１】
第一仕切り装置４０は、図４（Ａ）に示すように、第一仕切り板４２と、第一仕切り板４２の両端に配置される一対の第一ストッパ材５０を有する。第一仕切り板４２は、詳細に、ケース高さ方向Ｈの上側に位置する第一上側仕切り片４２Ｈと、この第一上側仕切り片４２Ｈよりも下側に位置する第一下側仕切り片４２Ｌを有する。第一上側仕切り片４２Ｈ及び第一下側仕切り片４２Ｌは、帯状プレートとなっており、その帯幅方向がケース高さ方向Ｈに沿うと同時に、帯長手方向が第二側壁幅方向Ｗ２に沿う。結果、箱体５の内部空間を第一側壁幅方向Ｗ１に複数に区画する。
【００３２】
第一上側仕切り片４２Ｈの長手方向の両端には、それぞれ、帯幅方向に縮幅となる上側肩部４４Ｈと、上側肩部４４Ｈから更に外側に延びて箱体５の第一上側貫通孔２４Ｈを通過する帯状の上側通過部４５Ｈと、上側通過部４５Ｈから更に外側に延びて箱体５から外側に突出する上側連結部４６Ｈを有する。
【００３３】
上側通過部４５Ｈと上側連結部４６Ｈの境界には、ケース高さ方向Ｈに延びるハーフカット状の上側折り線４７Ｈと、この上側折り線４７Ｈから上側通過部４５Ｈ側に延びるＵ字またはコ字形フルカット状の上側捲れ上がり部４８Ｈが形成される。
【００３４】
上側連結部４６Ｈは、第一ストッパ材５０に形成される上側連結孔５２Ｈに挿入された後に折り返されて、第一ストッパ材５０と第二側壁幅方向Ｗ２に係合することで、第一ストッパ材５０が抜け落ちないようになっている。
【００３５】
第一下側仕切り片４２Ｌの長手方向の両端には、それぞれ、帯幅方向が縮幅となる下側肩部４４Ｌと、下側肩部４４Ｌから更に外側に延びて箱体５の第一下側貫通孔２４Ｌを通過する帯状の下側通過部４５Ｌと、下側通過部４５Ｌから更に外側に延びて箱体５から外側に突出する下側連結部４６Ｌを有する。
【００３６】
下側通過部４５Ｌと下側連結部４６Ｌの境界には、ケース高さ方向Ｈに延びるハーフカット状の下側折り線４７Ｌと、この下側折り線４７Ｌから下側通過部４５Ｌ側に延びるＵ字またはコ字形フルカット状の下側捲れ上がり部４８Ｌが形成される。
【００３７】
下側連結部４６Ｌは、第一ストッパ材５０に形成される下側連結孔５２Ｌに挿入された後に折り返されて第一ストッパ材５０と第二側壁幅方向Ｗ２に係合することで、第一ストッパ材５０が抜け落ちないようになっている。
【００３８】
（第二仕切り装置）
【００３９】
第二仕切り装置６０は、図４（Ｂ）に示すように、第二仕切り板６２と、第二仕切り板６２の両端に配置される一対の第二ストッパ材７０を有する。第二仕切り板６２は、詳細に、ケース高さ方向Ｈの上側に位置する第二上側仕切り片６２Ｈと、この第二上側仕切り片６２Ｈよりも下側に位置する第二下側仕切り片６２Ｌを有する。第二上側仕切り片６２Ｈ及び第二下側仕切り片６２Ｌは、帯状プレートとなっており、その帯幅方向がケース高さ方向Ｈに沿うと同時に、帯長手方向が第一側壁幅方向Ｗ１に沿う。結果、箱体５の内部空間を第二側壁幅方向Ｗ２に複数に区画する。
【００４０】
第二上側仕切り片６２Ｈの長手方向の両端には、それぞれ、帯幅方向が縮幅となる上側肩部６４Ｈと、上側肩部６４Ｈから更に外側に延びて箱体５の第二上側貫通孔３４Ｈを通過する帯状の上側通過部６５Ｈと、上側通過部６５Ｈから更に外側に延びて箱体５から外側に突出する上側連結部６６Ｈを有する（図２（Ｂ）参照）。
【００４１】
上側通過部６５Ｈと上側連結部６６Ｈの境界には、ケース高さ方向Ｈに延びるハーフカット状の上側折り線６７Ｈと、この上側折り線６７Ｈから上側通過部６５Ｈ側に延びるＵ字またはコ字形フルカット状の上側捲れ上がり部６８Ｈが形成される。
【００４２】
上側連結部６６Ｈは、第二ストッパ材７０に形成される上側連結孔５２Ｈに挿入された後に折り返されて第二ストッパ材７０と第一側壁幅方向Ｗ１に係合することで、第二ストッパ材７０が抜け落ちないようになっている。
【００４３】
第二下側仕切り片６２Ｌの長手方向の両端には、それぞれ、帯幅方向が縮幅となる下側肩部６４Ｌと、下側肩部６４Ｌから更に外側に延びて箱体５の第二下側貫通孔３４Ｌを通過する帯状の下側通過部６５Ｌと、下側通過部６５Ｌから更に外側に延びて箱体５から外側に突出する下側連結部６６Ｌを有する。
【００４４】
下側通過部６５Ｌと下側連結部６６Ｌの境界には、ケース高さ方向Ｈに延びるハーフカット状の下側折り線６７Ｌと、この下側折り線６７Ｌから下側通過部６５Ｌ側に延びるＵ字またはコ字形フルカット状の下側捲れ上がり部６８Ｌが形成される。
【００４５】
下側連結部６６Ｌは、第二ストッパ材７０に形成される下側連結孔７２Ｌに挿入された後に折り返されて第二ストッパ材７０と第一側壁幅方向Ｗ１に係合することで、第二ストッパ材７０が抜け落ちないようになっている。
【００４６】
＜箱体に対する仕切り装置の組み立て方法＞
【００４７】
次に、箱体５に対する第一仕切り装置４０と第二仕切り装置６０の組み立て方法を説明する。両者の組み立て方法は同じであることから、ここでは第二仕切り装置６０の組み立て方法を説明することで、第一仕切り装置４０の説明を省略する。
【００４８】
図５（Ａ）及び図６（Ａ）に示すように、箱体５の第二側壁対３０Ａ，３０Ｂの第二上側貫通孔３４Ｈに対して、第二上側仕切り片６２Ｈの両端の上側通過部６５Ｈ及び上側連結部６６Ｈを挿入する。更に、この第二側壁対３０Ａ，３０Ｂの両外側に、一対の第二ストッパ材７０を配置し、その上側連結孔７２Ｈに対しても、上側通過部６５Ｈ及び上側連結部６６Ｈを挿入する。その後、第二側壁対３０Ａ，３０Ｂの内壁面を、上側肩部６４Ｈに押し付けるようにする。
【００４９】
同様に、第二側壁対３０Ａ，３０Ｂの第二下側貫通孔３４Ｌに対して、第二下側仕切り片６２Ｌの両端の下側通過部６５Ｌ及び下側連結部６６Ｌを挿入する。更に、この第二側壁対３０Ａ，３０Ｂの両外側に配置される一対の第二ストッパ材７０の下側連結孔７２Ｌに、下側通過部６５Ｌ及び下側連結部６６Ｌを挿入する。第二側壁対３０Ａ，３０Ｂの内壁面を、下側肩部６４Ｌに押し付けるようにする。
【００５０】
次に、図５（Ｂ）及び図６（Ｂ）に示すように、上側折り線６７Ｈに沿って上側連結部６６Ｈを折る。結果、上側捲れ上がり部６８Ｈが競り上がり、その突端が、上側連結孔７２Ｈに形成される干渉回避用切欠き７３Ｈを通過して、第二ストッパ材７０の外側に露出される。同様に、下側折り線６７Ｌに沿って下側連結部６６Ｌを折る。結果、下側捲れ上がり部６８Ｌが競り上がり、その突端が、下側連結孔７２Ｌに形成される干渉回避用切欠き７３Ｌを通過して、第二ストッパ材７０の外側に露出される。
【００５１】
最後に、図５（Ｃ）及び図６（Ｃ）に示すように、第二ストッパ材７０を、上側通過部６５Ｈ及び下側通過部６５Ｌに沿って、第一側壁幅方向Ｗ１の外側に引き出す。結果、上側連結部６６Ｈ及び上側捲れ上がり部６８Ｈが、第二ストッパ材７０の上側連結孔７２Ｈの周囲と係合し、下側連結部６６Ｌ及び下側捲れ上がり部６８Ｌが、第二ストッパ材７０の下側連結孔７２Ｌの周囲と係合する。第二側壁対３０Ａ，３０Ｂは、第二ストッパ材７０と上側及び下側肩部６４Ｈ，６４Ｌに挟み込まれるので、第二側壁対３０Ａ，３０Ｂと第二仕切り装置６０が、第一側壁幅方向Ｗ１に互いに係合する。以上の工程を経て、箱体５に対して第二仕切り装置６０が組付けられる。
【００５２】
なお、図１（Ｂ）に示すように、第二上側仕切り片６２Ｈと第二下側仕切り片６２Ｌの間に形成される高さ方向Ｈの第二隙間Ｓ２には、第一仕切り装置４０の第一上側仕切り片４２Ｈが挿入される。第二隙間Ｓ２の高さは、第一上側仕切り片４２Ｈの高さと略同一に設定される。第二下側仕切り片６２Ｌの下側には、第一仕切り装置４０の第一下側仕切り片４２Ｌが配置される。
【００５３】
図２（Ｂ）に示すように、箱体５に組付けられる第一仕切り装置４０の第一上側仕切り片４２Ｈと第一下側仕切り片４２Ｌの間に形成される高さ方向Ｈの第一隙間Ｓ１には、第二仕切り装置６０の第二下側仕切り片６２Ｌが挿入される。第一隙間Ｓ１の高さは、第二下側仕切り片６２Ｌの高さと略同一に設定される。第一上側仕切り片４２Ｈの上側には、第二仕切り装置６０の第二上側仕切り片６２Ｈが配置される。
【００５４】
箱体５に対して第一及び第二仕切り装置４０，６０が組付けられた状態で、図３（Ａ）に示すように平面視すると、複数（ここでは４個）の第一仕切り装置４０と、複数（ここでは３個）の第二仕切り装置６０が格子状に配置され、内部空間を細かく区画することができる。
【００５５】
なお、ここでは第二上側仕切り片６２Ｈ及び第二下側仕切り片６２Ｌが、互いに独立した材料となる場合を例示するが、本発明はこれに限定されない。本実施形態の変形例として、図８（Ａ）に示すように、第二上側仕切り片６２Ｈ及び第二下側仕切り片６２Ｌを両端で互いに連続させても良い。図８（Ｂ）に示すように、第二上側仕切り片６２Ｈ及び第二下側仕切り片６２Ｌの一方の端部において互いに連続させても良い。更にここでは、第二仕切り板６２が、第二上側仕切り片６２Ｈ及び第二下側仕切り片６２Ｌに二分されている場合を例示したが、図８（Ｃ）に示すように、一枚の仕切り板６２で構成しても良い。この場合であっても、仕切り板６２の保持姿勢を安定させるために、両端において、上側通過部６５Ｈ及び下側通過部６５Ｌ、上側連結部６６Ｈ及び下側連結部６６Ｌを形成することが好ましい。これらの変形例は、第一仕切り装置４０に適用することもできる。
【００５６】
＜スライド機構＞
【００５７】
図２（Ｂ）に示すように、第一仕切り装置４０と第一側壁対２０Ａ，２０Ｂの間には、第一仕切り装置４０を第一側壁幅方向Ｗ１に移動自在に案内する第一スライド機構８０が形成される。第一スライド機構８０は、ケース高さ方向Ｈの上側に設けられ第一上側スライド機構８２Ｈ、及び、この第一上側スライド機構８２Ｈの下側に設けられる第一下側スライド機構８２Ｌを有する。
【００５８】
第一上側スライド機構８２Ｈは、第一上側貫通孔２４Ｈ及びこれを貫する上側通過部４５Ｈによって形成される。第一上側スライド機構８２Ｈにより、第一上側貫通孔２４Ｈの長手方向（第一側壁幅方向Ｗ１）に沿って、上側通過部４５Ｈが摺動態様で移動自在となる。第一下側スライド機構８２Ｌは、第一下側貫通孔２４Ｌ及びこれを貫通する下側通過部４５Ｌによって形成される。第一下側スライド機構８２Ｌにより、第一下側貫通孔２４Ｌの長手方向（第一側壁幅方向Ｗ１）に沿って、下側通過部４５Ｌが摺動態様で案内される。
【００５９】
第一仕切り装置４０は、第一上側スライド機構８２Ｈと第一下側スライド機構８２Ｌによって、第一側壁幅方向Ｗ１に沿って円滑に案内されると同時に、停止状態においても、上下一対の案内構造によって、第一仕切り装置４０の傾倒が抑制される。
【００６０】
図１（Ｂ）に示すように、第二仕切り装置６０と第二側壁対３０Ａ，３０Ｂの間には、第二仕切り装置６０を第二側壁幅方向Ｗ２に移動自在に案内する第二スライド機構９０が形成される。第二スライド機構９０は、ケース高さ方向Ｈの上側に設けられ第二上側スライド機構９２Ｈ、及び、この第二上側スライド機構９２Ｈの下側に設けられる第二下側スライド機構９２Ｌを有する。
【００６１】
第二上側スライド機構９２Ｈは、第二上側貫通孔３４Ｈ及びこれを貫通する上側通過部６５Ｈによって形成される。第二上側スライド機構９２Ｈにより、第二上側貫通孔３４Ｈの長手方向（第二側壁幅方向Ｗ２）に沿って、上側通過部６５Ｈが摺動態様で移動自在となる。第二下側スライド機構９２Ｌは、第二下側貫通孔３４Ｌ及びこれを貫通する下側通過部６５Ｌによって形成される。第二下側スライド機構９２Ｌにより、第二下側貫通孔３４Ｌの長手方向（第二側壁幅方向Ｗ２）に沿って、下側通過部６５Ｌが摺動態様で案内される。
【００６２】
第二仕切り装置６０は、第二上側スライド機構９２Ｈと第二下側スライド機構９２Ｌによって、第二側壁幅方向Ｗ２に円滑に案内されると同時に、停止状態においても、上下一対の案内構造によって、第二仕切り装置６０の傾倒が抑制される。
【００６３】
本実施形態の収納ケース１によれば、図３（Ｂ）に示すように、第一仕切り装置４０と第二仕切り装置６０を自在に移動させることができる。結果、内部空間の区画割を自在に変更できるので、物品Ｂのサイズに合わせて、最も適したサイズの区画を実現できることになる。
【００６４】
更に収納ケース１では、図１及び図２に示すように、下から上に向かって、第一下側仕切り片４２Ｌ、第二下側仕切り片６２Ｌ、第一上側仕切り片４２Ｈ、第二上側仕切り片６２Ｈが配置される。このように、仕切り方向が互いに直交する４つの部材を、交互に４段に重ねていく構造を採用することで、図２（Ｂ）に示すように、底面積が小さく背高の物品Ｂの側面への接触面積（接触部分）を、ケース高さ方向Ｈ及び周囲方向に分散できる。結果、物品Ｂの保持姿勢を安定させることが可能となる。
【００６５】
更に収納ケース１は、全て段ボール材で構成されるとともに、手作業によって容易に組み立てたり、分解したりできる。結果、一部の部材が損傷しても、その部材のみを簡単に交換できるので、作業負荷の軽減を含めて、ランニングコストを抑制することもできる。
【００６６】
更に本実施形態では、第一仕切り装置４０における第一上側仕切り片４２Ｈと第一下側仕切り片４２Ｌを同一部材とし、第二仕切り装置６０における第二上側仕切り片６２Ｈ及び第二下側仕切り片６２Ｌを同一部材とし、第一仕切り装置４０の第一ストッパ材５０との第二仕切り装置６０の第二ストッパ材７０を同一部材とできる。このように、共通部材を増やすことで、交換部品の在庫量を減らすことが可能となる。
【００６７】
次に、本実施形態の収納ケース１の変形例について説明する。なお、以降では、図１〜図８で説明した収納ケース１と同一又は類似する部材や構造については、図中及び説明で用いる符号を一致させることで重複説明を省略し、異なる点を中心に説明する。
【００６８】
＜第一変形例＞
【００６９】
図９に、第一変形例となる収納ケース１を示す。図９（Ａ）に示すように、この収納ケース１は、第一仕切り装置４０と第一側壁対２０Ａ，２０Ｂの間に、第一スライド係合機構１２０を有する。この第一スライド係合機構１２０は、第一スライド機構８０による第一仕切り装置４０の移動を複数個所で規制（位置決め）する。
【００７０】
詳細に、第一スライド係合機構１２０は、ケース高さ方向Ｈの上側に設けられる第一上側スライド係合機構１２２Ｈ、及び、第一上側スライド係合機構１２２Ｈよりも下側に設けられる第一下側スライド係合機構１２２Ｌを有する。
【００７１】
第一上側貫通孔２４Ｈの下縁は、第一側壁幅方向Ｗ１に等間隔に並んで形成される複数の凹凸（第一上側孔用段群１２４Ｈ）を有する。図９（Ｂ）に示すように、この第一上側孔用段群１２４Ｈの各凹凸が、第一仕切り装置４０の上側通過部４５Ｈの下縁と係合する。すなわち、第一上側孔用段群１２４Ｈと上側通過部４５Ｈによって、第一上側スライド係合機構１２２Ｈが形成される。
【００７２】
第一下側貫通孔２４Ｌの下縁は、第一側壁幅方向Ｗ１に等間隔に並んで形成される複数の凹凸（第一下側孔用段群１２４Ｌ）を有する。この第一下側孔用段群１２４Ｌの各凹凸が、第一仕切り装置４０の下側通過部４５Ｌの下縁と係合する。すなわち、第一下側孔用段群１２４Ｌと下側通過部４５Ｌによって、第一下側スライド係合機構１２２Ｌが形成される。
【００７３】
更に図９（Ｂ）に示すように、この収納ケース１は、第二仕切り装置６０と第二側壁対３０Ａ，３０Ｂの間に、第二スライド係合機構１３０を有する。この第二スライド係合機構１３０は、第二スライド機構９０による第二仕切り装置６０の移動を複数個所で規制（位置決め）する。
【００７４】
詳細に、第二スライド係合機構１３０は、ケース高さ方向Ｈの上側に設けられる第二上側スライド係合機構１３２Ｈ、及び、第二上側スライド係合機構１３２Ｈよりも下側に設けられる第二下側スライド係合機構１３２Ｌを有する。
【００７５】
第二上側貫通孔３４Ｈの下縁は、図９（Ａ）に示すように、第二側壁幅方向Ｗ２に等間隔に並んで形成される複数の凹凸（第二上側孔用段群１３４Ｈ）を有する。この第二上側孔用段群１３４Ｈの各凹凸が、第二仕切り装置６０の上側通過部６５Ｈの下縁と係合する。すなわち、第二上側孔用段群１３４Ｈと上側通過部６５Ｈによって、第二上側スライド係合機構１３２Ｈが形成される。
【００７６】
第二下側貫通孔３４Ｌの下縁は、第二側壁幅方向Ｗ２に等間隔に並んで形成される複数の凹凸（第二下側孔用段群１３４Ｌ）を有する。この第二下側孔用段群１３４Ｌの各凹凸が、第二仕切り装置６０の下側通過部６５Ｌの下縁と係合する。すなわち、第二下側孔用段群１３４Ｌと下側通過部６５Ｌによって、第二下側スライド係合機構１３２Ｌが形成される。
【００７７】
この収納ケース１によれば、第一仕切り装置４０をスライドさせる際に、第一スライド係合機構１２０によって、一定の間隔で位置決めすることが可能となる。第一スライド係合機構１２０によって位置決めされる際、第一仕切り装置４０が箱体５に対して微細に下側に移動することになる。
【００７８】
また、第二仕切り装置６０をスライドさせる際に、第二スライド係合機構１３０によって、一定の間隔で位置決めすることが可能となる。第二スライド係合機構１３０によって位置決めされる際、第二仕切り装置６０が箱体５に対して微細に下側に移動することになる。
【００７９】
特に本収納ケース１では、第一下側仕切り片４２Ｌ、第二下側仕切り片６２Ｌ、第一上側仕切り片４２Ｈ、第二上側仕切り片６２Ｈが上下方向に接触又は接近状態で配置される。従って、第一仕切り装置４０が上方に移動して、第一スライド係合機構１２０の係合を解除しようとしても、第二仕切り装置６０の自重によって、その解除が抑制される。同様に、第二仕切り装置６０が上方に移動して、第二スライド係合機構１３０の係合を解除しようとしても、第一仕切り装置４０の自重によって、その解除が抑制される。即ち、お互いの自重によって相手側の係合状態の解除が抑制される。運搬中に振動等が作用しても、第一及び第二仕切り装置４０，６０の位置決め状態の解除が抑制される。一方、作業者が、箱体５に対して、第一及び第二仕切り装置４０，６０の双方を少しだけ持ち上げれば、第一及び第二スライド係合機構１２０，１３０による位置決め状態を容易に解除できるので、これらを自在にスライドさせることができる。
【００８０】
本収容ケース１では、箱体５の側壁に形成される貫通孔を有効活用して、スライド係合機構を構成しているので、部品点数を増やしたり、組立方法を複雑化したりすることが無い。
【００８１】
＜第二変形例＞
【００８２】
図１０に第二変形例となる収納ケース１を示す。図１０（Ｂ）に示すように、本収納ケース１の第一上側仕切り片４２Ｈの上縁は、第二側壁幅方向Ｗ２に等間隔に並んで形成される複数の凹凸（第一上側仕切り用段群１４９Ｈ）を有する。更に、第一下側仕切り片４２Ｌの上縁は、第二側壁幅方向Ｗ２に等間隔に並んで形成される複数の凹凸（第一下側仕切り用段群１４９Ｌ）を有する。
【００８３】
一方、図１０（Ａ）に示すように、第二上側仕切り片６２Ｈの下縁は、第一側壁幅方向Ｗ１に等間隔に並んで形成される複数の凹凸（第二上側仕切り用段群１６９Ｈ）を有する。同様に、第二下側仕切り片６２Ｌの下縁は、第一側壁幅方向Ｗ１に等間隔に並んで形成される複数の凹凸（第二下側仕切り用段群１６９Ｌ）を有する。
【００８４】
第一上側仕切り用段群１４９Ｈと第二上側仕切り用段群１６９Ｈは互いに係合する。同様に、第一下側仕切り用段群１４９Ｌと第二下側仕切り用段群１６９Ｌは互いに係合する。係合状態になると、第一仕切り装置４０及び第二仕切り装置６０の双方のスライドが規制される。
【００８５】
すなわち、第一上側仕切り用段群１４９Ｈと第二上側仕切り用段群１６９Ｈは、第一上側スライド係合機構１２２Ｈ及び第二上側スライド係合機構１３２Ｈを兼ねており、第一下側仕切り用段群１４９Ｌと第二下側仕切り用段群１６９Ｌは、第一下側スライド係合機構１２２Ｌ及び第二下側スライド係合機構１３２Ｌ兼ねる。
【００８６】
なお、これらの係合状態を解除する場合、係合量に相当する距離だけ、第二仕切り装置６０のみを上方に移動させればよい。この移動を許容するために、箱体５における第二上側貫通孔３４Ｈ及び第二下側貫通孔３４Ｌの高さＭ１は、第二上側仕切り片６２Ｈの上側通過部６５Ｈ及び第二下側仕切り片６２Ｌの下側通過部６５Ｌ及びの高さＭ２と比較して、係合量以上に大きく設定される。
【００８７】
本収容ケース１では、交差する態様で高さ方向Ｈに積層される仕切り片の上縁と下縁を有効活用して、スライド係合機構を構成しているので、部品点数を増やしたり、組立方法を複雑化したりすることが無い。
【００８８】
＜第三変形例＞
【００８９】
図１１に第三変形例となる収納ケース１を示す。この収容ケース１では、第一側壁幅方向Ｗ１が短尺側となり、第二側壁幅方向Ｗ２が長尺側となっている。
【００９０】
図１１（Ａ）に示すように、第二仕切り装置６０は、単一の第二仕切り板６２によって構成される。これに伴い、第二側壁対３０Ａ，３０Ｂの各々には、単一の第二貫通孔３４が形成される。図１１（Ｂ）に示すように、第二貫通孔３４の下縁は、第二側壁幅方向Ｗ２に等間隔に並んで形成される複数の凹凸（第二孔用段群１３４）を有する。この第二孔用段群１３４の各凹凸は、第二仕切り装置６０の通過部６５の下縁と係合する。この第二孔用段群１３４と通過部６５によって、第二下側スライド係合機構１３２Ｌが形成される。
【００９１】
図１１（Ｂ）に示すように、第一上側仕切り片４２Ｈの下縁は、第二側壁幅方向Ｗ２に等間隔に並んで形成される複数の凹凸（第一上側仕切り用段群１４９Ｈ）を有する。第一上側仕切り用段群１４９Ｈは、第二仕切り板６２の上縁と係合する。結果、第二仕切り板６２の上縁と第一上側仕切り用段群１４９Ｈは、第二上側スライド係合機構１３２Ｈとなる。
【００９２】
以上の構成により、第二仕切り装置６０は、上側が第二上側スライド係合機構１３２Ｈによって規制され、下側が第二下側スライド係合機構１３２Ｌによって規制される。結果、単一の第二仕切り板６２であっても、その傾倒が抑制される。第二上側スライド係合機構１３２Ｈ及び第二下側スライド係合機構１３２Ｌの規制を解除すると、第二仕切り装置６０は、第二貫通孔３４に沿って移動自在となる。
【００９３】
更に図１１（Ａ）に示すように、この収納ケース１の第一上側貫通孔２４Ｈの下縁は、第一側壁幅方向Ｗ１に等間隔に並んで形成される複数の凹凸（第一上側孔用段群１２４Ｈ）を有する。この第一上側孔用段群１２４Ｈの各凹凸は、第一仕切り装置４０の上側通過部４５Ｈの下縁と係合する。すなわち、第一上側孔用段群１２４Ｈと上側通過部４５Ｈによって、第一上側スライド係合機構１２２Ｈが形成される。
【００９４】
第一下側貫通孔２４Ｌの下縁は、第一側壁幅方向Ｗ１に等間隔に並んで形成される複数の凹凸（第一下側孔用段群１２４Ｌ）を有する。この第一下側孔用段群１２４Ｌの各凹凸は、第一仕切り装置４０の下側通過部４５Ｌの下縁と係合する。すなわち、第一下側孔用段群１２４Ｌと下側通過部４５Ｌによって、第一下側スライド係合機構１２２Ｌが形成される。
【００９５】
この収納ケース１では、第一変形例で紹介した、貫通孔を有効活用したスライド係合機構と、第二変形例で紹介した、仕切り片の上縁と下縁を有効活用したスライド係合機構が組み合わされている。結果、部品点数を増やしたり、組立方法を複雑化したりすることが無い。
【００９６】
また、この収納ケース１では、下から上に向かって、第一下側仕切り片４２Ｌ、第二仕切り板６２、第一上側仕切り片４２Ｈの３段の仕切りが形成されている。このように、３段の仕切りであっても、第一下側仕切り片４２Ｌと第二仕切り板６２が上下方向に間隔を有して物品と接触できるので、物品の保持姿勢を安定させることができる。なお、好ましくは、本実施形態で示すように、交互に直交する４段以上の仕切りを形成する。
【００９７】
上記第一〜第三変形例において、スライド係合機構の為に形成される凹凸の形状は特に限定されない。例えば、図１２（Ａ）に示すような短いスリット形状や、図１２（Ｂ）で示すような鋸刃形状、図１２（Ｃ）で示すような波形状等、スライド方向に移動抵抗を生じさせ得る様々な形状を採用し得る。
【００９８】
なお、上記実施形態、第一変形例、第二変形例の収納ケース１では、第一仕切り装置４０が短尺側で、第二仕切り装置６０が長尺側となる場合を例示したが、本発明はこれに限定されず、第一仕切り装置４０が長尺側で、第二仕切り装置６０が短尺とできる。同様に、第一仕切り装置４０が下側で、第二仕切り装置６０が上側となる場合を例示したが、本発明はこれに限定されず、第一仕切り装置４０が上側で、第二仕切り装置６０が下側とできる。すなわち、本明細書における第一及び第二の定義は、反対にして説明することも可能である。
【００９９】
また、記実施形態及び変形例の収納ケース１では、全ての材料が段ボールで構成される場合を例示したが、本発明はこれに限定されず、主として段ボール材で構成されていればよい。すなわち、箱体及び内部空間内に配置される仕切りを含む主要部材は、段ボールで構成することが望ましいが、ストッパ等の周辺部材は、段ボール以外の材料を組み合わせることも可能である。
【０１００】
尚、本発明の収納ケースは、上記した実施の形態に限定されるものではなく、本発明の要旨を逸脱しない範囲内において種々変更を加え得ることは勿論である。
【符号の説明】
【０１０１】
１      収納ケース
５      箱体
１０    底面部
２０Ａ，２０Ｂ  第一側壁対
２２    凹部
２４    第一貫通孔
２４Ｈ  第一上側貫通孔
２４Ｌ  第一下側貫通孔
３０Ａ，３０Ｂ  第二側壁対
３２    凸部
３４    第二貫通孔
３４Ｈ  第二上側貫通孔
３４Ｌ  第二下側貫通孔
４０    第一仕切り装置
４２    第一仕切り板
４２Ｈ  第一上側仕切り片
４２Ｌ  第一下側仕切り片
４４Ｈ  上側肩部
４４Ｌ  下側肩部
４５    第一通過部
４５Ｈ  上側通過部
４５Ｌ  下側通過部
４６Ｈ  上側連結部
４６Ｌ  下側連結部
４７Ｈ  上側折り線
４７Ｌ  下側折り線
５０    第一ストッパ材
５２Ｈ  上側連結孔
５２Ｌ  下側連結孔
６０    第二仕切り装置
６２    第二仕切り板
６２Ｈ  第二上側仕切り片
６２Ｌ  第二下側仕切り片
６４Ｈ  上側肩部
６４Ｌ  下側肩部
６５Ｈ  上側通過部
６５Ｌ  下側通過部
６６Ｈ  上側連結部
６６Ｌ  下側連結部
６７Ｈ  上側折り線
６７Ｌ  下側折り線
７０    第二ストッパ材
８０    第一スライド機構
８２Ｈ  第一上側スライド機構
８２Ｌ  第一下側スライド機構
９０    第二スライド機構
９２Ｈ  第二上側スライド機構
９２Ｌ  第二下側スライド機構
１２０  第一スライド係合機構
１３０  第二スライド係合機構
１２２Ｈ  第一上側スライド係合機構
１２２Ｌ  第一下側スライド係合機構
１２４  第一孔用段群
１２４Ｈ  第一上側孔用段群
１２４Ｌ  第一下側孔用段群
１３０  第二スライド係合機構
１３２Ｈ  第二上側スライド係合機構
１３２Ｌ  第二下側スライド係合機構
１３４Ｈ  第二上側孔用段群
１３４Ｌ  第二下側孔用段群
１４９Ｈ  第一上側仕切り用段群
１４９Ｌ  第一下側仕切り用段群
１６９Ｈ  第二上側仕切り用段群
１６９Ｌ  第二下側仕切り用段群
【図１】
2022001499.tif 000003
【図２】
2022001499.tif 000004
【図３】
2022001499.tif 000005
【図４】
2022001499.tif 000006
【図５】
2022001499.tif 000007
【図６】
2022001499.tif 000008
【図７】
2022001499.tif 000009
【図８】
2022001499.tif 000010
【図９】
2022001499.tif 000011
【図１０】
2022001499.tif 000012
【図１１】
2022001499.tif 000013
【図１２】
2022001499.tif 000014
【手続補正書】
【提出日】令和2年10月28日(2020.10.28)
【手続補正１】
【補正対象書類名】特許請求の範囲
【補正対象項目名】全文
【補正方法】変更
【補正の内容】
【特許請求の範囲】
【請求項１】
紙又はプラスチックの段ボールで構成される収納ケースであって、
矩形の底面部と、
前記底面部の一方の対辺から上方に延びる第一側壁対と、
前記底面部の他方の対辺から上方に延びる第二側壁対と、
内部空間において前記第二側壁対の幅方向となる第二側壁幅方向に延在し、自身の両端が前記第一側壁対に保持される第一仕切り装置と、
内部空間において前記第一側壁対の幅方向となる第一側壁幅方向に延在し、自身の両端が前記第二側壁対に保持される第二仕切り装置と、
前記第一仕切り装置と前記第一側壁対の間に設けられ、前記第一仕切り装置を前記第一側壁幅方向に移動自在に案内する第一スライド機構と、
を備え、
前記第一スライド機構として、
ケース高さ方向の上側に設けられて前記第一仕切り装置を前記第一側壁幅方向に移動自在に案内する第一上側スライド機構、及び、前記第一上側スライド機構の下側に設けられて、前記第一仕切り装置を前記第一側壁幅方向に移動自在に案内する第一下側スライド機構を有することを特徴とする段ボール構造収納ケース。
【請求項２】
紙又はプラスチックの段ボールで構成される収納ケースであって、
矩形の底面部と、
前記底面部の一方の対辺から上方に延びる第一側壁対と、
前記底面部の他方の対辺から上方に延びる第二側壁対と、
内部空間において前記第二側壁対の幅方向となる第二側壁幅方向に延在し、自身の両端が前記第一側壁対に保持される第一仕切り装置と、
内部空間において前記第一側壁対の幅方向となる第一側壁幅方向に延在し、自身の両端が前記第二側壁対に保持される第二仕切り装置と、
前記第一仕切り装置と前記第一側壁対の間に設けられ、前記第一仕切り装置を前記第一側壁幅方向に移動自在に案内する第一スライド機構と、
前記第一仕切り装置と前記第一側壁対の間、及び／又は、前記第一仕切り装置と前記第二仕切り装置の間に設けられ、前記第一スライド機構による前記第一仕切り装置の移動を複数個所で規制する第一スライド係合機構と、
を備え、
前記第一スライド係合機構として、
ケース高さ方向の上側に設けられて前記第一仕切り装置の移動を複数個所で規制する第一上側スライド係合機構、及び、前記第一上側スライド係合機構の下側に設けられて、前記第一仕切り装置の移動を複数個所で規制する第一下側スライド係合機構を有する
ことを特徴とする段ボール構造収納ケース。
【請求項３】
紙又はプラスチックの段ボールで構成される収納ケースであって、
矩形の底面部と、
前記底面部の一方の対辺から上方に延びる第一側壁対と、
前記底面部の他方の対辺から上方に延びる第二側壁対と、
内部空間において前記第二側壁対の幅方向となる第二側壁幅方向に延在し、自身の両端が前記第一側壁対に保持される第一仕切り装置と、
内部空間において前記第一側壁対の幅方向となる第一側壁幅方向に延在し、自身の両端が前記第二側壁対に保持される第二仕切り装置と、
前記第一仕切り装置と前記第一側壁対の間に設けられ、前記第一仕切り装置を前記第一側壁幅方向に移動自在に案内する第一スライド機構と、
を備え、
前記第一側壁対の各側壁は、前記第一側壁幅方向に延びて前記第一仕切り装置を該第一側壁幅方向に案内する第一貫通孔を有しており、
前記第一仕切り装置は、
前記第二側壁幅方向に延在して前記内部空間を仕切ると共に、両端が前記第一貫通孔を通過して前記第一側壁対の両外側に突出する第一仕切り板と、
前記第一側壁対の両外側にそれぞれ配置され、前記第一仕切り板の両端近傍に連結されて前記第一貫通孔の周縁と係合可能な第一ストッパ部と、
を備えることを特徴とする段ボール構造収納ケース。
【請求項４】
前記第一仕切り装置は、前記第二側壁幅方向に延在して前記内部空間を仕切る第一仕切り部を有し、
前記第二仕切り装置は、前記第一側壁幅方向に延在して前記内部空間を仕切る第二仕切り部を有し、
前記第一仕切り部は、ケース高さ方向の上側に位置する第一上側仕切り片、及び、該第一上側仕切り片よりも下側に位置する第一下側仕切り片を有し、
前記第二仕切り部の少なくとも一部は、前記第一上側仕切り片と前記第一下側仕切り片の間に延在することを特徴とする、
請求項１〜３のいずれか一項に記載の段ボール構造収納ケース。
【請求項５】
前記第二仕切り部は、ケース高さ方向の上側に位置する第二上側仕切り片、及び、該第二上側仕切り片よりも下側に位置する第二下側仕切り片を有し、
前記第二上側仕切り片は、前記第一上側仕切り片よりも上側に位置し、
前記第二下側仕切り片は、前記第一上側仕切り片と前記第一下側仕切り片の間に延在することを特徴とする、
請求項４に記載の段ボール構造収納ケース。
【請求項６】
前記第一スライド機構として、
ケース高さ方向の上側に設けられて前記第一仕切り装置を前記第一側壁幅方向に移動自在に案内する第一上側スライド機構、及び、前記第一上側スライド機構の下側に設けられて、前記第一仕切り装置を前記第一側壁幅方向に移動自在に案内する第一下側スライド機構を有することを特徴とする、
請求項２〜３のいずれか一項に記載の段ボール構造収納ケース。
【請求項７】
前記第一仕切り装置と前記第一側壁対の間、及び／又は、前記第一仕切り装置と前記第二仕切り装置の間に設けられ、前記第一スライド機構による前記第一仕切り装置の移動を複数個所で規制する第一スライド係合機構を備えることを特徴とする、
請求項１又は３のいずれか一項に記載の段ボール構造収納ケース。
【請求項８】
前記第一スライド係合機構として、
ケース高さ方向の上側に設けられて前記第一仕切り装置の移動を複数個所で規制する第一上側スライド係合機構、及び、前記第一上側スライド係合機構の下側に設けられて、前記第一仕切り装置の移動を複数個所で規制する第一下側スライド係合機構を有することを特徴とする、
請求項７に記載の段ボール構造収納ケース。
【請求項９】
前記第一側壁対の各側壁は、前記第一側壁幅方向に延びて前記第一仕切り装置を該第一側壁幅方向に案内する第一貫通孔を有しており、
前記第一仕切り装置は、
前記第二側壁幅方向に延在して前記内部空間を仕切ると共に、両端が前記第一貫通孔を通過して前記第一側壁対の両外側に突出する第一仕切り板と、
前記第一側壁対の両外側にそれぞれ配置され、前記第一仕切り板の両端近傍に連結されて前記第一貫通孔の周縁と係合可能な第一ストッパ部と、
を備えることを特徴とする、
請求項１又は２のいずれか一項に記載の段ボール構造収納ケース。
【請求項１０】
前記第一側壁対は、前記第一貫通孔として、ケース高さ方向の上側に位置する第一上側貫通孔、及び、該第一上側貫通孔よりも下側に位置する第一下側貫通孔を有し、
前記第一仕切り板は、前記第一上側貫通孔を通過する第一上側通過部、及び、前記第一下側貫通孔を通過する第一下側通過部を有することを特徴とする、
請求項３又は９に記載の段ボール構造収納ケース。
【請求項１１】
前記第一貫通孔には、前記第一側壁幅方向に並んで形成される複数の凹凸となる第一孔用段群が形成されており、
前記第一仕切り装置が、前記第一孔用段部と係合することを特徴とする、
請求項３、９、１０のいずれか一項に記載の段ボール構造収納ケース。
【請求項１２】
前記第二仕切り装置は、前記第一側壁幅方向に延在して前記内部空間を仕切る第二仕切り板を有し、
前記第二仕切り板の上縁又は下縁には、前記第一側壁幅方向に並んで形成される複数の凹凸となる第二仕切り用段群が形成されており、
前記第一仕切り装置の前記第一仕切り板が、前記第二仕切り用段群と係合することを特徴とする、
請求項３、９、１０、１１のいずれか一項に記載の段ボール構造収納ケース。
【手続補正書】
【提出日】令和3年2月10日(2021.2.10)
【手続補正１】
【補正対象書類名】特許請求の範囲
【補正対象項目名】全文
【補正方法】変更
【補正の内容】
【特許請求の範囲】
【請求項１】
紙又はプラスチックの段ボールで構成される収納ケースであって、
矩形の底面部と、
前記底面部の一方の対辺から上方に延びる第一側壁対と、
前記底面部の他方の対辺から上方に延びる第二側壁対と、
内部空間において前記第二側壁対の幅方向となる第二側壁幅方向に延在し、自身の両端が前記第一側壁対に保持される第一仕切り装置と、
内部空間において前記第一側壁対の幅方向となる第一側壁幅方向に延在し、自身の両端が前記第二側壁対に保持される第二仕切り装置と、
前記第一仕切り装置と前記第一側壁対の間に設けられ、前記第一仕切り装置を前記第一側壁幅方向に移動自在に案内する第一スライド機構と、
を備え、
前記第一スライド機構として、
ケース高さ方向の上側に設けられて前記第一仕切り装置を前記第一側壁幅方向に移動自在に案内する第一上側スライド機構、及び、前記第一上側スライド機構の下側に設けられて、前記第一仕切り装置を前記第一側壁幅方向に移動自在に案内する第一下側スライド機構を有することを特徴とする段ボール構造収納ケース。
【請求項２】
紙又はプラスチックの段ボールで構成される収納ケースであって、
矩形の底面部と、
前記底面部の一方の対辺から上方に延びる第一側壁対と、
前記底面部の他方の対辺から上方に延びる第二側壁対と、
内部空間において前記第二側壁対の幅方向となる第二側壁幅方向に延在し、自身の両端が前記第一側壁対に保持される第一仕切り装置と、
内部空間において前記第一側壁対の幅方向となる第一側壁幅方向に延在し、自身の両端が前記第二側壁対に保持される第二仕切り装置と、
前記第一仕切り装置と前記第一側壁対の間に設けられ、前記第一仕切り装置を前記第一側壁幅方向に移動自在に案内する第一スライド機構と、
前記第一仕切り装置と前記第一側壁対の間、及び／又は、前記第一仕切り装置と前記第二仕切り装置の間に設けられ、前記第一スライド機構による前記第一仕切り装置の移動を複数個所で規制する第一スライド係合機構と、
を備え、
前記第一スライド係合機構として、
ケース高さ方向の上側に設けられて前記第一仕切り装置の移動を複数個所で規制する第一上側スライド係合機構、及び、前記第一上側スライド係合機構の下側に設けられて、前記第一仕切り装置の移動を複数個所で規制する第一下側スライド係合機構を有する
ことを特徴とする段ボール構造収納ケース。
【請求項３】
紙又はプラスチックの段ボールで構成される収納ケースであって、
矩形の底面部と、
前記底面部の一方の対辺から上方に延びる第一側壁対と、
前記底面部の他方の対辺から上方に延びる第二側壁対と、
内部空間において前記第二側壁対の幅方向となる第二側壁幅方向に延在し、自身の両端が前記第一側壁対に保持される第一仕切り装置と、
内部空間において前記第一側壁対の幅方向となる第一側壁幅方向に延在し、自身の両端が前記第二側壁対に保持される第二仕切り装置と、
前記第一仕切り装置と前記第一側壁対の間に設けられ、前記第一仕切り装置を前記第一側壁幅方向に移動自在に案内する第一スライド機構と、
を備え、
前記第一側壁対の各側壁は、前記第一側壁幅方向に延びて前記第一仕切り装置を該第一側壁幅方向に案内する第一貫通孔を有しており、
前記第一仕切り装置は、
前記第二側壁幅方向に延在して前記内部空間を仕切ると共に、両端が前記第一貫通孔を通過して前記第一側壁対の両外側に突出する第一仕切り板と、
前記第一側壁対の両外側にそれぞれ配置され、前記第一仕切り板の両端近傍に連結されて前記第一貫通孔の周縁と係合可能な第一ストッパ部と、
を備えることを特徴とする段ボール構造収納ケース。
【請求項４】
前記第一仕切り装置は、前記第二側壁幅方向に延在して前記内部空間を仕切る第一仕切り部を有し、
前記第二仕切り装置は、前記第一側壁幅方向に延在して前記内部空間を仕切る第二仕切り部を有し、
前記第一仕切り部は、ケース高さ方向の上側に位置する第一上側仕切り片、及び、該第一上側仕切り片よりも下側に位置する第一下側仕切り片を有し、
前記第二仕切り部の少なくとも一部は、前記第一上側仕切り片と前記第一下側仕切り片の間に延在することを特徴とする、
請求項１〜３のいずれか一項に記載の段ボール構造収納ケース。
【請求項５】
前記第二仕切り部は、ケース高さ方向の上側に位置する第二上側仕切り片、及び、該第二上側仕切り片よりも下側に位置する第二下側仕切り片を有し、
前記第二上側仕切り片は、前記第一上側仕切り片よりも上側に位置し、
前記第二下側仕切り片は、前記第一上側仕切り片と前記第一下側仕切り片の間に延在することを特徴とする、
請求項４に記載の段ボール構造収納ケース。
【請求項６】
前記第一スライド機構として、
ケース高さ方向の上側に設けられて前記第一仕切り装置を前記第一側壁幅方向に移動自在に案内する第一上側スライド機構、及び、前記第一上側スライド機構の下側に設けられて、前記第一仕切り装置を前記第一側壁幅方向に移動自在に案内する第一下側スライド機構を有することを特徴とする、
請求項２〜３のいずれか一項に記載の段ボール構造収納ケース。
【請求項７】
前記第一仕切り装置と前記第一側壁対の間、及び／又は、前記第一仕切り装置と前記第二仕切り装置の間に設けられ、前記第一スライド機構による前記第一仕切り装置の移動を複数個所で規制する第一スライド係合機構を備えることを特徴とする、
請求項１又は３のいずれか一項に記載の段ボール構造収納ケース。
【請求項８】
前記第一スライド係合機構として、
ケース高さ方向の上側に設けられて前記第一仕切り装置の移動を複数個所で規制する第一上側スライド係合機構、及び、前記第一上側スライド係合機構の下側に設けられて、前記第一仕切り装置の移動を複数個所で規制する第一下側スライド係合機構を有することを特徴とする、
請求項７に記載の段ボール構造収納ケース。
【請求項９】
前記第一側壁対の各側壁は、前記第一側壁幅方向に延びて前記第一仕切り装置を該第一側壁幅方向に案内する第一貫通孔を有しており、
前記第一仕切り装置は、
前記第二側壁幅方向に延在して前記内部空間を仕切ると共に、両端が前記第一貫通孔を通過して前記第一側壁対の両外側に突出する第一仕切り板と、
前記第一側壁対の両外側にそれぞれ配置され、前記第一仕切り板の両端近傍に連結されて前記第一貫通孔の周縁と係合可能な第一ストッパ部と、
を備えることを特徴とする、
請求項１又は２のいずれか一項に記載の段ボール構造収納ケース。
【請求項１０】
前記第一側壁対は、前記第一貫通孔として、ケース高さ方向の上側に位置する第一上側貫通孔、及び、該第一上側貫通孔よりも下側に位置する第一下側貫通孔を有し、
前記第一仕切り板は、前記第一上側貫通孔を通過する第一上側通過部、及び、前記第一下側貫通孔を通過する第一下側通過部を有することを特徴とする、
請求項３又は９に記載の段ボール構造収納ケース。
【請求項１１】
前記第一貫通孔には、前記第一側壁幅方向に並んで形成される複数の凹凸となる第一孔用段群が形成されており、
前記第一仕切り装置が、前記第一孔用段群と係合することを特徴とする、
請求項３、９、１０のいずれか一項に記載の段ボール構造収納ケース。
【請求項１２】
前記第二仕切り装置は、前記第一側壁幅方向に延在して前記内部空間を仕切る第二仕切り板を有し、
前記第二仕切り板の上縁又は下縁には、前記第一側壁幅方向に並んで形成される複数の凹凸となる第二仕切り用段群が形成されており、
前記第一仕切り装置の前記第一仕切り板が、前記第二仕切り用段群と係合することを特徴とする、
請求項３、９、１０、１１のいずれか一項に記載の段ボール構造収納ケース。